(57)【特許請求の範囲】
【請求項１】
射出成形機のベッド(7)上の型締装置内への出入口(8)に設けられ、前記射出成形機の稼働時は完全に閉成される安全ドア(1)と、前記安全ドア(1)を開閉させるためにレール(5)に沿って転動する車輪(6)とを備える射出成形機の安全性を確保するための射出成形機の安全装置であって、
前記レール(5)に取り付けられたブラケット(10)と、
前記レール(5)の転動面(5A)よりも高い位置で前記ブラケット(10)に回動自在に軸止された棒状部材であって、前記安全ドア(1)が完全に閉成する第１位置と、前記安全ドア(1)が完全に開放される完全開放位置よりも前記第１位置寄りであって、作業員が前記出入口(8)を通用できるだけ、または、作業員が前記出入り口(8)より腕を入れられるだけ前記安全ドア(1)を開放する第２位置との間では長辺(11B)が前記車輪(6)に支持されることにより前記レール(5)に接触しないが、前記安全ドア(1)が前記第２位置まで開放されると、先端部(11A)が前記車輪(6)の外周面(6A)及び前記転動面(5A)に当接することにより、前記安全ドア(1)を前記第２位置より閉成不能にするストッパ棒手段(11)と
を備えることを特徴とする射出成形機の安全装置。
【請求項２】
前記ストッパ棒手段(11)は、前記安全ドア(1)より内側に配設されていることを特徴とする請求項１記載の射出成形機の安全装置。
【請求項３】
前記ストッパ棒手段(11)は、前記第２位置における前記安全ドア(1)の閉成不能状態を解除する際に用いる把手(15)を備えることを特徴とする請求項１または２記載の射出成形機の安全装置。
【請求項４】
前記安全ドア(1)の前記第１位置を検知するリミットスイッチ(2)を備え、前記安全ドア(1)が前記第１位置にあるときは前記射出成形機を稼動可能にするが、前記安全ドア(1)が開放されると、前記射出成形機を稼動不能にすることを特徴とする請求項１ないし３のいずれか記載の射出成形機の安全装置。
【発明の詳細な説明】
【０００１】
【発明の属する技術分野】
本発明は、射出成形機に関し、特に、型締装置における安全性をより向上させるための新規な改良に関する。
【０００２】
【従来の技術】
従来、用いられていたこの種の装置としては図３で示される、例えば射出成形機の型締装置の構成を挙げることができる。すなわち、図３において、符号１で示されるものは型締装置の安全ドアであり、この型締装置には安全ドア１が完全に閉じた状態で作動するリミットスイッチ２が配設されている。そして、このリミットスイッチ２が作動して初めて型締装置を作動させることができるように構成されている。すなわち、少しでも安全ドア１が開いている状態では、リミットスイッチ２が作動しないために、型締装置を作動させることはできない。
【０００３】
図４は、図３に示す型締装置を矢印Ｂの方向から見た側面図である。
図５は、図３における矢印Ｃの方向から見たリミットスイッチの構成を示す構成図である。
図６は、図３に示すＤ部の構成を拡大して示す構成図である。
【０００４】
図４に示すように、安全ドア１にはタイヤ状の車輪６が装着されており、溶接等の手段によりベッド７に固定されたレール５の転動面５Ａに沿って前記車輪６が回動することにより、円滑に安全ドア１が開閉できるというものである。
また、図５に示すように、リミットスイッチ２は、リミットスイッチ固定用第１ブラケット２Ａ及びリミットスイッチ固定用第２ブラケット２Ｂを介して固定盤に固定されている。
【０００５】
ここで、図６中において破線で示すように安全ドア１が開放されている状態では、リミットスイッチ２のレバー３は起き上がった状態であり、この状態ではリミットスイッチ２は作動しない。従って、この状態ではベッド７上に配設された図示しない型締装置を作動させることはできない。
一方、安全ドア１を完全に閉成すると、安全ドア１に付随して移動する板４によってリミットスイッチ２のレバー３が倒され、このとき初めてリミットスイッチ２が作動することによりインターロックが解除されるので、型締装置を運転することができるようになる。
【０００６】
【発明が解決しようとする課題】
従来の装置は以上のように構成されていたため、次のような課題が存在していた。すなわち、大型の射出成形機では型締装置内部の型盤に挟まれた領域に人が入ることが可能であり、金型、型盤等のメンテナンス時に型締装置内に作業者が入って作業を行うことがある。また、中型や小型の射出成形機においてもメンテナンス時に射出成形機の天井部のカバーが外されている場合に、作業者が容易に手や腕などの身体の一部を型締装置内に入れることができる。このとき、射出成形機の制御方法においては、上述したように機械の操作側及びその反対側の安全ドアの両方が完全に閉じた状態であれば機械を作動させることができてしまう。
【０００７】
従来の安全ドアは、手動による安全ドアの開閉時に、完全な開状態から完全な閉状態になるまでの間に安全ドアの移動を妨げるものがないため、作業者が型締装置内部にいるときや、射出成形機の天井部のカバーが外されている場合に型締装置の上方より手や体の一部を型締装置内に入れているときに誤って安全ドアが閉じた場合には、機械が作動可能な状態になり、作業者が型盤に挟まれる可能性があった。
【０００８】
本発明は、以上のような課題を解決するためになされたもので、特に、安全ドアを開いたときに作動するストッパを装着することにより、作業者が型締装置内で作業を行っているときや、手や腕などの体の一部が天井側から型締装置内にある際に誤って安全ドアが閉成されることがなく、作業者の安全すなわち機械の安全性を向上させた射出成形機の安全装置を提供することを目的とする。
【０００９】
【課題を解決するための手段】
本発明の射出成形機の安全装置は、射出成形機のベッド上の型締装置内への出入口に設けられ、前記射出成形機の稼働時は完全に閉成される安全ドアと、前記安全ドアを開閉させるためにレールに沿って転動する車輪とを備える射出成形機の安全性を確保するための射出成形機の安全装置であって、前記レールに取り付けられたブラケットと、前記レールの転動面よりも高い位置で前記ブラケットに回動自在に軸止された棒状部材であって、前記安全ドアが完全に閉成する第１位置と、前記安全ドアが完全に開放される完全開放位置よりも前記第１位置寄りであって、作業員が前記出入口を通用できるだけ、または、作業員が前記出入り口より腕を入れられるだけ前記安全ドアを開放する第２位置との間では長辺が前記車輪に支持されることにより前記レールに接触しないが、前記安全ドアが前記第２位置まで開放されると、先端部が前記車輪の外周面及び前記転動面に当接することにより、前記安全ドアを前記第２位置より閉成不能にするストッパ棒手段とを備える。
【００１０】
また、前記ストッパ棒手段は、前記安全ドアより内側に配設されている。
【００１１】
また、前記ストッパ棒手段は、前記第２位置における前記安全ドアの閉成不能状態を解除する際に用いる把手を備える。
【００１２】
さらに、前記安全ドアの前記第１位置を検知するリミットスイッチを備え、前記安全ドアが前記第１位置にあるときは前記射出成形機を稼動可能にするが、前記安全ドアが開放されると、前記射出成形機を稼動不能にする。
【００１３】
【発明の実施の形態】
以下、図面と共に本発明による射出成形機の安全装置の好適な実施の形態について詳細に説明する。
なお、従来装置と同一または同等部分には同一符号を付し、その説明を省略する。
【００１４】
図１は、本発明の射出成形機の安全装置を概略的に示す部分断面図である。
図２は、図１における矢印Ａの方向から射出成形機の安全装置を概略的に示す構成図である。
図１において、安全ドア１は左方向に移動することにより開放され、以下の説明では、完全に閉成したときの安全ドア１の位置を第１位置、完全に開放したときの安全ドア１の位置を完全開放位置と称し、さらに、前記完全開放位置よりも第１位置寄りであって、大型の射出成形機では作業員が出入り口を通用できるだけ開放したときの安全ドア１の位置を第２位置と称する。一方、中型や小型の射出成形機では作業者の手や腕などの身体の一部が型締装置内へ入り安全ドア内側のストッパ棒１１を操作可能なだけ安全ドア１を開放した位置を第２位置と称する。
【００１５】
図１及び図２に示すように、本発明の射出成形機の安全装置は、ベッド７の側面７Ａに配設された断面Ｌ字型のレール５にブラケット１０を配設し、このブラケット１０にストッパ棒１１を回動自在に軸止した構成である。
前記ブラケット１０は、水平方向に渡されたレール５に対して鉛直上方に突出するようにボルト１２で固定されている。
【００１６】
前記ストッパ棒１１は、前記レール５の転動面５Ａよりも高い位置において、ピン１３を介してブラケット１０に回動自在に軸止されている。このストッパ棒１１の長さは、安全ドア１が第２位置にあるときに前記安全ドア１の車輪６にその先端部１１Ａが当接するように設定されている。また、ストッパ棒１１は、作業員が引き起こす際に掴むための把手１５を備える。
なお、ブラケット１０には、安全ドア１が第１位置にある場合においてストッパ棒１１の回動（図１中時計回り方向の回動）を制限するジク１４が配設されている。
【００１７】
次にこの射出成形機の安全装置の動作について説明する。
安全ドア１が第１位置にあるときは、ストッパ棒１１の下側の長辺１１Ｂが車輪６に支持されて静止している。なお、このときストッパ棒１１はジク１４によって時計回り方向の回動が制限されている。
【００１８】
安全ドア１を第１位置から開放し始めると、車輪６が図１中左方向に転動して行くため、ストッパ棒１１は転動面５Ａとの間でなす角を小さくしながら倒れて行く。このとき、ストッパ棒１１の下側の長辺１１Ｂは車輪６の外周面６Ａと当接しており、これによりストッパ棒１１は車輪６に支持されている。
【００１９】
即ち、安全ドア１の位置が第１位置と第２位置の直前までの間にある場合には、その位置から安全ドア１を閉成し始めると、車輪６の外周面６Ａとストッパ棒１１の長辺１１Ｂとが当接しながらストッパ棒１１は転動面５Ａとの間でなす角を大きくしながら起き上がるので、安全ドア１を第１位置まで閉成（即ち完全に閉成）することが可能である。
【００２０】
一方、安全ドア１を第２位置まで開放すると、ストッパ棒１１の長辺１１Ｂは車輪６の外周面６Ａには当接しなくなり、先端部１１Ａが車輪６の外周面６Ａ及びレール５の転動面５Ａに当接するようになる。安全ドア１を第２位置から完全開放位置に向けてさらに開放して行くと、ストッパ棒１１の先端部１１Ａと車輪６の外周面６Ａは離間する。このようにして安全ドア１を完全に開放することができる。
【００２１】
また、安全ドア１が第２位置より完全開放位置寄りにあるときに安全ドア１を閉成して行くと、第２位置までは閉成できるが、第２位置においてストッパ棒１１の先端部１１Ａが車輪６の外周面６Ａに突き当たることにより、ストッパ棒１１が仕え棒となり安全ドア１は第２位置より閉成不能な状態となる。
【００２２】
即ち、一度安全ドア１を第２位置以上に開放すると、ストッパ棒１１が仕え棒となって安全ドア１は第２位置より閉成しなくなるので、作業者が型締装置内部にいるときや、手や腕などの身体の一部が天井側から型締装置内に入っている場合に誤って安全ドア１が閉じることがなく、従来のように作業者が型盤に挟まれるという事故を未然に防止することができる。
【００２３】
このように安全ドア１が第２位置よりも閉成しなくなった状態を解除するためには、作業員が把手１５を掴んでストッパ棒１１を起き上がらせ、安全ドア１を第２位置よりも第１位置側に少しだけ閉成し、ストッパ棒１１の長辺１１Ｂを車輪６の外周面６Ａ上に載せればよい。この作業は、安全の面から安全ドア１が第２位置にあるときにドアの外より手や腕を入れてストッパ棒１１を操作することを前提とする。
【００２４】
以上、本発明によれば、安全ドア１が第２位置よりも開いた場合には、ストッパ棒１１が仕え棒となって安全ドア１を第２位置より閉成不能な状態になる。従って、作業員が意図的にストッパ棒１１を持ち上げて前記閉成不能状態を解除させない限り安全ドア１が完全に閉成することはなく、この状態で安全ドア１の完全閉成位置を検知するリミットスイッチ２は作動せず、ひいてはインターロックが解除されることはないので、作業員が型締装置内に閉じこめられたまま誤って型盤に挟まれるという事故を未然に防止できる安全性の非常に高い射出成形機の安全装置を提供することができる。
【００２５】
【発明の効果】
請求項１記載の発明によれば、作業者が型締装置内部にいるときや、手や腕などの身体の一部を天井側から型締装置内に入れているときに誤って安全ドアが閉じることがなく、従来のように作業者が型盤に挟まれるという事故を未然に防止することができる。
【００２６】
請求項２記載の発明によれば、安全ドアの車輪等の安全ドアの内側に配設された既存の設備を利用した安価で信頼性の高い射出成形機の安全装置を提供することができる。
【００２７】
請求項３記載の発明によれば、作業者が閉成不能状態を解除し易い射出成形機の安全装置を提供することができる。
【００２８】
請求項４記載の発明によれば、安全ドアが完全に閉成されなければリミットスイッチが作動することはないので、作業員が型締装置内に閉じこめられたまま誤って型盤に挟まれるという事故を未然に防止するためのインターロック機能を備えた安全性の非常に高い射出成形機の安全装置を提供することができる。
【図面の簡単な説明】
【図１】本発明による射出成形機の安全装置を概略的に示す部分断面図である。
【図２】図１の矢印Ａの方向から見た射出成形機の安全装置を概略的に示す構成図である。
【図３】一般的な射出成形機の型締装置を概略的に示す構成図である。
【図４】図３に示す型締装置を矢印Ｂの方向から見た側面図である。
【図５】図３の矢印Ｃの方向から見たリミットスイッチの構成を示す構成図である。
【図６】図３におけるＤ部の構成を拡大して示す構成図である。
【符号の説明】
１  安全ドア
２  リミットスイッチ
５  レール
５Ａ  転動面
６  車輪
６Ａ  外周面
７  ベッド
７Ａ  側面
８  出入口
１０  ブラケット
１１  ストッパ棒
１１Ａ  先端部
１１Ｂ  長辺
１２  ボルト
１３  ピン
１４  ジク
１５  把手
【図１】
0003741073.tif 000002
【図２】
0003741073.tif 000003
【図３】
0003741073.tif 000004
【図４】
0003741073.tif 000005
【図５】
0003741073.tif 000006
【図６】
0003741073.tif 000007